(57)【要約】【課題】  表示手段が置かれた環境により入力画像の見えのモードが変化するか否かを判定するとともに、見えのモードが変化しないように、入力画像を可視化して表示可能な画像表示装置及び画像表示方法を提供する。【解決手段】  環境情報獲得部１は画像表示部７が置かれている環境に関する情報を獲得し、表示色特性算出部２は、その環境に関する情報から、その環境において理論的に物体の反射表面が取り得る色範囲を表示色特性として計算する。画像情報解析部３は入力画像の画素毎に輝度及び色度を画像情報として取得し、画像表示条件判別部４は画像情報が表示色特性の範囲内か否かを判定する。表示色特性の範囲外の画素が含まれる場合は、画像表示補正係数決定部５は、入力画像全体が表示色特性の範囲内となるように画像表示補正係数を決定し、その画像表示補正係数に従って画像補正処理部６が入力画像に対して補正処理を行う。【選択図】  図１
2007086549.tif 000002
【特許請求の範囲】
【請求項１】
入力画像を可視化して表示手段に表示する画像表示装置において、前記表示手段が置かれている環境に関する情報を獲得する環境情報獲得手段と、前記環境情報獲得手段で獲得した前記環境に関する情報から該環境において理論的に物体の反射表面が取り得る色範囲を表示色特性として計算する表示色特性算出手段と、前記入力画像を解析して画素ごとの輝度及び色度を画像情報として得る画像情報解析手段と、前記画像情報解析手段で得られた前記画像情報が前記表示色特性算出手段で計算した前記表示色特性の範囲内であるか否かを判別する画像表示条件判別手段を有することを特徴とする画像表示装置。
【請求項２】
さらに、前記画像表示条件判別手段の判別結果が前記表示色特性の範囲外を示すとき前記入力画像全体が前記表示色特性の範囲内となるように画像表示補正係数を決定する画像表示補正係数決定手段と、前記画像表示補正係数決定手段によって決定された前記画像表示補正係数に基づき前記入力画像に対して補正処理を行う画像補正処理手段を有することを特徴とする請求項１に記載の画像表示装置。
【請求項３】
さらに、前記画像表示条件判別手段の判別結果が前記表示色特性の範囲外を示すときその旨をユーザに報知する色域外報知手段を有することを特徴とする請求項１または請求項２に記載の画像表示装置。
【請求項４】
前記環境情報獲得手段は、前記環境に関する情報として、前記表示手段が置かれた環境の照明の分光分布情報を獲得することを特徴とする請求項１ないし請求項３のいずれか１項に記載の画像表示装置。
【請求項５】
前記環境情報獲得手段は、前記表示手段が置かれた環境の照明の強度、及び光源に関する情報を獲得し、対応する分光分布情報を照明光データベースから取得して前記環境に関する情報とすることを特徴とする請求項１ないし請求項３のいずれか１項に記載の画像表示装置。
【請求項６】
前記表示色特性算出手段は、照明光の分光分布情報をもとに、理論的に物体の反射表面が取り得る各色度における最大輝度を前記表示色特性として算出することを特徴とする請求項４または請求項５に記載の画像表示装置。
【請求項７】
前記画像表示条件判別手段は、前記入力画像の各画素の色度に対応する表示色特性算出手段において算出された最大輝度と前記入力画像の各画素の輝度とを比較し、最大輝度を超えているか否かを判別することを特徴とする請求項６に記載の画像表示装置。
【請求項８】
前記画像表示条件判別手段は、最大輝度を超えていると判別された入力画像の画素については、最大輝度を超えた量を最大輝度に対する比率として出力することを特徴とする請求項７に記載の画像表示装置。
【請求項９】
前記表示色特性算出手段は、照明光の分光分布情報をもとに、理論的に物体の反射表面が取り得る各色度における最大輝度を前記表示色特性として算出し、前記画像表示条件判別手段は、入力画像の各画素の色度に基づき、表示色特性算出手段において算出された最大輝度と入力画像の各画素の輝度を比較し、最大輝度を超えているか否かを判別するとともに、最大輝度を超えていると判別された入力画像の画素については、最大輝度を超えた量を最大輝度に対する比率として前記画像表示補正係数決定手段に渡し、前記画像表示補正係数決定手段は、前記画像表示条件判別手段から渡された最大輝度を超えた比率を入力画像全体について獲得し、その中で最大値をもとに前記画像表示補正係数を決定することを特徴とする請求項２に記載の画像表示装置。
【請求項１０】
前記色域外報知手段は、前記画像表示条件判別手段の判別結果に基づき、入力画像における前記表示色特性の範囲外となる箇所について警告を表示することを特徴とする請求項３に記載の画像表示装置。
【請求項１１】
入力画像を可視化して表示手段に表示する画像表示方法において、前記表示手段が置かれている環境に関する情報を環境情報獲得手段で獲得し、獲得した前記環境に関する情報から該環境において理論的に物体の反射表面が取り得る色範囲を表示色特性として表示色特性算出手段で計算し、一方、前記入力画像を画像情報解析手段で解析して画素ごとの輝度及び色度を画像情報として取得し、得られた前記画像情報が前記表示色特性の範囲内であるか否かを画像表示条件判別手段で判別することを特徴とする画像表示方法。
【請求項１２】
さらに、前記画像情報が前記表示色特性の範囲外であると判別されたとき、前記入力画像全体が前記表示色特性の範囲内となるように画像表示補正係数決定手段で画像表示補正係数を決定し、前記画像表示補正係数に基づき画像補正処理手段により前記入力画像に対して補正処理を行うことを特徴とする請求項１１に記載の画像表示方法。
【請求項１３】
さらに、前記画像情報が前記表示色特性の範囲外であると判別されたとき、その旨を色域外報知手段によりユーザに報知することを特徴とする請求項１１または請求項１２に記載の画像表示方法。
【請求項１４】
前記環境に関する情報として、前記表示手段が置かれた環境の照明の分光分布情報を獲得することを特徴とする請求項１１ないし請求項１３のいずれか１項に記載の画像表示方法。
【請求項１５】
前記表示手段が置かれた環境の照明の強度、及び光源に関する情報を獲得し、対応する分光分布情報を照明光データベースから取得して前記環境に関する情報とすることを特徴とする請求項１１ないし請求項１３のいずれか１項に記載の画像表示方法。
【請求項１６】
前記表示色特性として、照明光の分光分布情報をもとに、理論的に物体の反射表面が取り得る各色度における最大輝度を算出することを特徴とする請求項１４または請求項１５に記載の画像表示方法。
【請求項１７】
前記画像情報が前記表示色特性の範囲内であるか否かの判別は、算出された前記入力画像の各画素の色度に対応する最大輝度と前記入力画像の各画素の輝度とを比較し、最大輝度を超えているか否かを判別することを特徴とする請求項１６に記載の画像表示方法。
【請求項１８】
さらに、最大輝度を超えていると判別された入力画像の画素については、最大輝度を超えた量を最大輝度に対する比率として出力することを特徴とする請求項１７に記載の画像表示方法。
【請求項１９】
照明光の分光分布情報をもとに、理論的に物体の反射表面が取り得る各色度における最大輝度を前記表示色特性として算出し、前記入力画像の各画素の色度に基づき、前記最大輝度と前記入力画像の各画素の輝度を比較し、最大輝度を超えているか否かを判別するとともに、最大輝度を超えていると判別された入力画像の画素については、最大輝度を超えた量を最大輝度に対する比率を算出し、該最大輝度を超えた比率を入力画像全体について獲得し、その中で最大値をもとに前記画像表示補正係数を決定することを特徴とする請求項１２に記載の画像表示方法。
【請求項２０】
さらに、入力画像における前記表示色特性の範囲外となる箇所について警告を表示することを特徴とする請求項１３に記載の画像表示方法。
【発明の詳細な説明】
【技術分野】
【０００１】
本発明は、カラー画像を表示するための技術に関するものであり、例えばＣＲＴディスプレイや液晶ディスプレイなどの表示手段に入力画像を表示する際に行う画像処理技術に関するものである。
【背景技術】
【０００２】
現在、カラー画像を扱う装置固有の特性が異なっても、出力される画像間での見えの一致が求められるようになってきている。例えば、ＣＲＴディスプレイや液晶ディスプレイ等の表示装置に表示したカラー画像と、それを記録媒体へ電子写真方式やインクジェット方式で出力したカラー画像との間で、見えの一致が求められている。そこで、従来からこれらの異なるメディア間での表示画像間の色再現の一致を目指して数々の色補正方法が提案されてきている。
【０００３】
特に、異なる出力装置を用いたときに、装置固有の色再現域の関連付けを行うことにより両者の見えを一致させようとする試みが多くなされてきた。例えば、特許文献１に記載されているように、画像情報からそれぞれの装置の色再現域との情報を組み合わせて、含まれる画像情報により色補正係数を選択するという画像適応型色域圧縮方式が提案されている。
【０００４】
その一方で、カラー画像の観察者がどのような環境で画像を観察するかということまでは考慮されていない。人間の色相知覚が、その色がどのような属性で知覚しているかが色の見えに影響していることが知られている。この属性は、「色の見えのモード」と呼ばれ、表面色モードと、発光色モードもしくは光源色モードとに大別できる。
【０００５】
表面色モードは、色が物体の表面の属性として知覚されたときのモードである。また、その色自体が発光している、もしくはその領域が開口として知覚され、そこからの光が来ているように知覚されるのが光源色モード、もしくは発光色モードである。この色の見えのモードが色知覚に影響を与えることが知られている。
【０００６】
表面色モードとして知覚されるための条件には個人差等があり、また照明光等が変化したときにも変化してしまうので、予測が困難である。特に、典型的な画像表示手段である液晶ディスプレイやＣＲＴモニタなどは発光デバイスであり、ＲＧＢ信号によって色を表示するので、反射物として知覚されるか否かまでは考慮していない。現に、特許文献１に示されている手法は、色度や輝度に関する情報だけを対象として補正処理を行っており、表示装置が置かれている空間の環境までは考慮していない。
【０００７】
例えば、表示装置が置かれた環境が明るいか暗いかによっても、画像情報が明るい情報から形成されるのか暗めの情報だけで構成されているのかが異なり、そのため見えのモードは異なる。上述したように、見えのモードが異なると色知覚特性が異なるので、正確な色再現を表示装置に求めるのであれば、見えのモードを考慮した上での画像表示を考える必要がある。
【０００８】
【特許文献１】特許第３４３０１７８号公報
【発明の開示】
【発明が解決しようとする課題】
【０００９】
本発明は、上述した事情に鑑みてなされたもので、表示手段が置かれた環境により入力画像の見えのモードが変化するか否かを判定するとともに、見えのモードが変化しないように、入力画像を可視化して表示可能な画像表示装置及び画像表示方法を提供することを目的とするものである。
【課題を解決するための手段】
【００１０】
本発明では、表示手段が置かれている環境に関する情報を獲得し、獲得した環境に関する情報から、その環境において理論的に物体の反射表面が取り得る色範囲を表示色特性として計算する。そして、入力画像の画素毎に輝度及び色度を画像情報として取得し、その画像情報が表示色特性の範囲内であるか否かを判定する。これによって、表示手段が置かれている環境において、入力画像が見えのモードのうち表面色モードで表示されるか否かを判定することができる。
【００１１】
例えば、表示手段が置かれている環境に関する情報として、その環境の照明の分光分布情報を獲得したり、あるいは、照明の強度及び光源に関する情報をもとに、対応する分光分布情報を照明光データベースから取得する。このようにして取得した照明光の分光分布情報をもとに、理論的に物体の反射表面が取り得る各色度における最大輝度を表示色特性として算出する。そして、算出された入力画像の各画素の色度に対応する最大輝度と入力画像の各画素の輝度とを比較し、最大輝度を超えているか否かを判別するように構成することができる。
【００１２】
この判定結果を用い、表示色特性の範囲外の画素が含まれる場合には、入力画像全体が表示色特性の範囲内となるように補正処理を行う。例えば、表示色特性の範囲外の画素については、最大輝度を超えた量を最大輝度に対する比率を算出し、その最大輝度を超えた比率を入力画像全体について獲得し、その中で最大値をもとに画像表示補正係数を決定し、その画像表示補正係数に従って補正を行うように構成することができる。これによって、表示手段がそのとき置かれている環境において表面色モードで入力画像を表示することができる。
【００１３】
また、表示色特性の範囲外であると判別された場合に、その旨をユーザに報知するように構成することもできる。また、例えば表示色特性の範囲外となる入力画像中の箇所について、警告を表示するように構成してもよい。
【発明の効果】
【００１４】
本発明によれば、表示手段に入力画像を表示する際に、その表示手段が置かれている環境に関する情報から、表示される画像が表面色モードとして観察されるか否かを判別することができる。さらに表面色モードで観察されない部分がある場合には、表面色モードで観察されるように補正処理を行い、観察者が表面色モードで違和感なく画像を観察できるようにすることができる。これにより、どのような環境下でも見えを一致させた画像の表示を実現することができるという効果がある。
【００１５】
また、表示手段が置かれている環境では画像の見えが表面色モードでない部分が存在する場合には、その旨を観察者に報知して、当該環境では不自然な見えとなってしまうことを知らせることができる。
【発明を実施するための最良の形態】
【００１６】
図１は、本発明の第１の実施の形態を示す概略ブロック図である。図中、１は環境情報獲得部、２は表示色特性算出部、３は画像情報解析部、４は画像表示条件判別部、５は画像表示補正係数決定部、６は画像補正処理部、７は画像表示部である。
【００１７】
環境情報獲得部１は、入力画像を表示する画像表示部７が置かれている環境に関する情報を獲得する。例えば、画像表示部７が置かれている環境の照明の分光分布情報を獲得することができる。
【００１８】
表示色特性算出部２は、環境情報獲得部１で獲得した環境に関する情報をもとに、その環境において理論的に物体の反射表面が取り得る色範囲を表示色特性として計算する。例えば、環境情報獲得部１で獲得した照明光の分光分布情報をもとに、各色度で許容される最大輝度を算出し、その最大輝度までの範囲を取り得るものとして表示色特性とすることができる。
【００１９】
画像情報解析部３は、入力画像を解析して画素ごとの色度及び輝度を計算して画像情報とする。なお、入力画像がもともと色度及び輝度で表されたデータである場合には、そのまま画像情報とすればよく、この場合には画像情報解析部３を設けずに構成することも可能である。
【００２０】
画像表示条件判別部４は、表示色特性算出部２で求められた表示色特性と、画像情報解析部３で計算された画像情報とを比較して、許容領域内に入力画像が入るか否かを判別する。例えば、入力画像の各画素の色度に対応する表示色特性算出部２において算出された最大輝度と、入力画像の各画素の輝度とを比較し、最大輝度を超えているか否かを判別することができる。それとともに、最大輝度を超えていると判別された入力画像の画素については、最大輝度を超えた量を最大輝度に対する比率として計算し、出力することができる。
【００２１】
画像表示補正係数決定部５は、画像表示条件判別部４で入力画像の全部又は一部が許容領域外にあると判別された場合に、入力画像の全体が許容領域内に入るような補正を行うための画像表示補正係数を決定する。例えば、画像表示条件判別部４から渡された最大輝度を超えた比率を入力画像全体について獲得し、その中で最大値をもとに画像表示補正係数を決定することができる。
【００２２】
画像補正処理部６は、画像表示補正係数決定部５によって決定された画像表示補正係数に基づいて入力画像に対して補正処理を行い、画像表示部７に画像を表示させる。
【００２３】
以下、各部の動作についてさらに説明を加えていく。環境情報獲得部１では、上述のように画像表示部７が置かれている環境に関する情報を獲得する。後述するように、最明色は理想的な反射率特性を有する表面を仮定して、どの程度明るくなることができるかを求めた限界である。そのため、詳細な分光分布を知ることが望ましい。しかし、詳細な分光分布を得るにはセンサのコストが高くなってしまう場合が考えられる。このような場合には、色度と輝度が求められるようなセンサによって代替することにしても、何ら本発明を限定するものではない。特にどれだけ表面が明るくなりうるかは、照明強度が直接寄与するので、不可欠な情報である。
【００２４】
表示色特性算出部２では、環境情報獲得部１から環境に関する情報を受け、ここでは各色度点における最大輝度値を表示色特性として求める。図２は、Ｄ６５照明における最明色を表したｘｙ色度図である。図２に示したｘｙ色度図は、Ｗｙｓｚｅｃｋｉ  ＆  Ｓｔｉｌｅｓ，“Ｃｏｌｏｒ  Ｓｃｉｅｎｃｅ：  Ｃｏｎｃｅｐｔｓ  ａｎｄ  Ｍｅｔｈｏｄｓ，  Ｑｕａｎｔｉｔａｔｉｖｅ  Ｄａｔａ  ａｎｄ  Ｆｏｒｍｕｌａｅ，  ２ｎｄ  Ｅｄ．”，  Ｗｉｌｅｙ，  ｐ．１８３に記載されているものである。この図では、Ｄ６５照明光源の色度において反射率を１００％とし、それぞれの色度における反射率について等反射率の色度を結んだものである。この反射率と照明強度の積が、その色度を有する物体の表面における最大輝度値となる。ある色度に対応する最大輝度値以上に高い輝度については、物体の表面で反射した色（すなわち物体の表面の色）とは認識されない。
【００２５】
図２に示すように。最明色は連続的に変化するので、テーブル形式で離散的に色度と輝度情報を作成しておき、画像表示条件判別部４で色度に対応した最大輝度値についてテーブルを参照して周辺の色度に対応する最大輝度値から補間して求めるように構成することができる。あるいは、図２に示す色度と最大輝度値との関係を関数として保持し、画像表示条件判別部４ではその関数を用いるように構成してもよい。
【００２６】
入力画像が与えられると、画像情報解析部３は、入力画像の各画素における輝度、色度を計算する。ここでは、表示色特性算出部２と同じ色空間上の値に変換するため、例えばＸＹＺ三刺激値などの任意の色空間からＬｘｙ値へと変換する。もちろん、両者を別の色空間の値、例えばＬ* ａ* ｂ* 色空間値などに変換しても何ら問題はない。
【００２７】
画像表示条件判別部４では、画像情報解析部３によって変換された入力画像の各画素の輝度・色度と、表示色特性算出部２において求めた表示色特性、ここでは色度毎の限界輝度情報とを比較し、最明色領域に各画素が入っているか否かを判断する。
【００２８】
図３は、最明色外郭と入力画像の輝度外郭の具体例を示すグラフである。図３では、例えば図２に示した色度図のＤ６５照明光源のｘ値を固定したときのｙ値と輝度との平面を示している。太線が最明色外郭であり、細線が入力画像の輝度外郭を示している。なお、輝度は１００で正規化した相対輝度で示している。
【００２９】
画像表示条件判別部４における判別は、入力画像の各画素の輝度値が、図３に太線で示した最明色外郭の内部にあるか、あるいは領域外になるかを判断すればよい。入力画像の色度により最明色外郭の値が決まるので、その値と当該画素の輝度とを比較すれば、容易に判別することができる。図３に示した例では、入力画像の一部で最明色外郭を上回る輝度値の画素が存在していることを示している。
【００３０】
もしも最明色領域外にあると判別された場合には、その色度における最大輝度と画像情報に含まれる輝度との比を求め、その値を後段の画像表示補正係数決定部５に送出する。この比は、どれだけ輝度値を圧縮することによって最明色領域に画像情報を入れることができるかを表している。
【００３１】
画像表示補正係数決定部５は、前述したように画像表示条件判別部４からの判別結果と、最明色領域外にあると判別された場合には比の値を受け取り、どれだけの補正を行ったら画像全体が最明色外郭内に収まるかを計算し、画像表示補正係数を決定する。
【００３２】
図４は、超過比率の頻度ヒストグラムの一例の説明図である。画像表示条件判別部４から受け取った比の値ごとに画素数を計数すると、例えば図４に示すような頻度ヒストグラムが得られる。この頻度ヒストグラムから、比の値の最大値を求める。もちろん、頻度ヒストグラムを作成せずに、他の方法により比の値の最大値を求めてもよい。
【００３３】
また、このように比の値の最大値を画像表示補正係数とするほか、他の方法により画像表示補正係数を求めてもよい。例えば、画像中に輝点が存在するような場合も考えられ、それを表面色として知覚させることが不要な場合もある。そのような場合には、この画像表示補正係数決定部５において、計数した頻度値を考慮に入れて、ある一定画素数が画像内にあるような比の値から画像補正係数を求めるようにしてもよい。または、図示しないユーザ入力手段を設け、どの領域までを表面色として知覚するために最明色領域内に含めるかを指示させるような手法を用いてもよい。
【００３４】
画像補正処理部６では、画像表示補正係数決定部５によって決定された画像表示補正係数を用いて、入力画像全体に対して輝度を圧縮するような補正を行う。図５は、補正後の入力画像の輝度外郭の具体例を示すグラフである。補正前の入力画像の輝度外郭を破線で示し、補正後の入力画像の輝度外郭を細線で示している。最明色外郭の外側にまで広がっていた入力画像の色域が、補正後には最明色外郭内に収まっていることがわかる。
【００３５】
このようにして画像補正処理部６において補正処理が施された画像が画像表示部７に渡され、表示されることになる。表示される画像は、画像表示部７が置かれている環境（照明）において物体の表面が取り得る輝度の範囲内の画像であるため、画像中の色は表面色として知覚され、より自然な見えを実現することができる。また、画像表示部７の特性等に依存せずに求めることにより、汎用性を確保している。
【００３６】
図６は、本発明の第２の実施の形態を示す概略ブロック図である。図中、図１と同様の部分には同じ符号を付して重複する説明を省略する。１１は色域外報知部である。この第２の実施の形態では、上述の第１の実施の形態のように最明色外郭外の色の輝度を最明色外郭内に入るように補正して表示する代わりに、ユーザに対して表面色モードでの表示可能な色域外であるとして報知する例を示している。
【００３７】
色域外報知部１１は、画像表示条件判別部４からの判別結果を受け取り、判別結果が表示色特性、例えば最明色外郭の範囲外と判定された場合には、その旨をユーザに報知する。報知の方法は任意である。一つの方法として、例えばプレビュー画像を画像表示部６あるいは他の表示部に表示させ、その際に最明色外郭外となった画素の位置がわかるように表示することができる。
【００３８】
もちろん、上述の第１の実施の形態と組み合わせて用いることが可能であり、画像表示条件判別部４からの判別結果が表示色特性の範囲外と判定された場合に、色域外報知部１１によりユーザにその旨を報知するとともに、入力画像全体が表示色特性の範囲内となるように補正を行って画像表示部６に表示するように構成することもできる。
【００３９】
図７は、本発明の第３の実施の形態を示す概略ブロック図である。図中、図１と同様の部分には同じ符号を付して重複する説明を省略する。２１はユーザ入力部、２２は環境情報保持部である。この第３の実施の形態では、画像表示部７が置かれている環境に関する情報を取得する方法として、ユーザが照明条件に関する情報を入力して、その照明条件に関する情報から分光分布情報を取得する例を示している。
【００４０】
ユーザ入力部２１は、ユーザからの照明条件に関する情報の入力を受け付ける。例えば、画像表示部７が置かれている環境の照明強度や光源の情報などを照明に関する情報として受け付けることができる。環境情報保持部２２は、各種の照明条件に対応する分光分布情報を保持した照明光データベースである。環境情報獲得部１は、ユーザ入力部２１から光源の種類や照明強度などを含む照明条件に関する情報を受け取り、その照明条件に関する情報を元に環境情報保持部２２から分光分布情報を取得して環境に関する情報とする。その他の構成は上述の第１の実施の形態と同様である。
【００４１】
なお、この第３の実施の形態においても、上述の第２の実施の形態と同様に、表面色モードでの表示可能な色域外となる画素が存在する場合にユーザに対して報知する機能を搭載してもよい。
【００４２】
図８は、ユーザ入力部２１においてユーザが照明条件に関する情報を入力するための画面の一例の説明図である。ユーザは、画像表示部７を照明している照明光の強さとその種類をそれぞれ「環境光強度」、「環境光」の項目で設定することができる。図８に示す例では、「環境光強度」の設定として、センサによる測定値を使用することが設定されている。この場合、画像表示部７が置かれている位置に設置された図示しないセンサによって環境光の強度を測定し、測定結果が環境情報獲得部１に渡される。もちろん照明光の強度を直接あるいは選択的に入力するように構成してもよい。
【００４３】
また「環境光」の項目では、光源として昼白色蛍光灯を用いていることが設定されている。光源の種類についても、各種の光源を選択的に入力するほか、色温度などを直接入力可能に構成してもよい。
【００４４】
さらに図８に示す例では、上述の第２の実施の形態で示した報知機能を併せ持つ場合の例を示している。この報知機能を利用する構成として、「表示条件」の項目において、「補正＋警告表示」を設定している。この警告表示を指定することによって、入力画像中に表面色モードでの表示可能な色域外となる画素が存在する場合に、その旨をユーザに対して報知する。もちろん、「補正」のみや「警告表示」のみの設定も可能である。
【００４５】
また、この例では補正後の画像のプレビュー機能を有しており、図中右側の「プレビュー警告画像」と記載している枠内に補正後の画像をプレビュー表示させることができる。このとき、表面色モードでの表示可能な色域外であった画素位置には、そのことがわかるような表示方法により表示する。このようなプレビュー画像における警告表示によって、画像表示部７が置かれている環境では入力画像中に表面色モードで表示できない色の画素が含まれていること、及び、補正によって表示される画像を確認することができる。このプレビュー画像は、下部の「プレビュー」ボタンを操作した場合や、表示条件の項目で警告表示を含む設定を行って「実行」ボタンを操作した場合などに表示させることができる。
【００４６】
図８に示した環境光強度や環境光、表示条件などの設定後、下部の「実行」ボタンを操作することによって、設定された照明の条件が環境情報獲得部１に渡され、環境情報保持部２２から対応する分光分布情報が取り出されて環境に関する情報として表示色特性算出部２に渡され、表示色特性算出部２で表示色特性、例えば各色度点における最大輝度値を求める。以下、上述の第１の実施の形態と同様に入力画像について必要に応じて補正処理を行い、画像表示部７に表示する。このようにして、ユーザ入力部２１で設定された照明の条件に従って、入力画像に対して必要に応じて補正された画像が画像表示部７に表示されることになる。
【００４７】
なお、図８に示した画面の表示は一例であって、任意のレイアウトで任意の表示形態により表示させることができる。もちろん、表示させる項目も、照明の強度と種類が設定できれば、他にどのような項目を設定可能にしてもよい。さらに、入力方法についても、周知の種々の方法を適用することができる。なお、図８に示すユーザが設定を行う画面を表示する表示装置は、画像表示部７と同じであっても異なっていてもかまわない。
【００４８】
この例では環境情報保持部２２に各種の照明条件に対応する分光分布情報を保持するものとして説明したが、例えば表示色特性算出部２で算出される表示色特性を環境情報保持部２２に保持させておき、設定された照明条件から表示色特性を取得するように構成してもよい。
【図面の簡単な説明】
【００４９】
【図１】本発明の第１の実施の形態を示す概略ブロック図である。
【図２】Ｄ６５照明における最明色を表したｘｙ色度図である。
【図３】最明色外郭と入力画像の輝度外郭の具体例を示すグラフである。
【図４】超過比率の頻度ヒストグラムの一例の説明図である。
【図５】補正後の入力画像の輝度外郭の具体例を示すグラフである。
【図６】本発明の第２の実施の形態を示す概略ブロック図である。
【図７】本発明の第３の実施の形態を示す概略ブロック図である。
【図８】ユーザ入力部においてユーザが照明条件に関する情報を入力するための画面の一例の説明図である。
【符号の説明】
【００５０】
１…環境情報獲得部、２…表示色特性算出部、３…画像情報解析部、４…画像表示条件判別部、５…画像表示補正係数決定部、６…画像補正処理部、７…画像表示部、１１…色域外報知部、２１…ユーザ入力部、２２…環境情報保持部。
【図１】
2007086549.tif 000003
【図２】
2007086549.tif 000004
【図３】
2007086549.tif 000005
【図４】
2007086549.tif 000006
【図５】
2007086549.tif 000007
【図６】
2007086549.tif 000008
【図７】
2007086549.tif 000009
【図８】
2007086549.tif 000010